【手続補正書】
【提出日】平成21年12月2日(2009.12.2)
【手続補正１】
【補正対象書類名】明細書
【補正対象項目名】００２２
【補正方法】変更
【補正の内容】
【００２２】
本発明の要旨は、案内溝が形成された基板と相変化型記録層とを有してなり、該相変化型記録層の結晶状態の部分を未記録・消去状態に対応させ、該相変化型記録層の非晶質状態の部分を記録状態に対応させて、記録光を照射することにより該記録状態に対応する非晶質マークを形成させる書き換え型光記録媒体において、
前記相変化型記録層がＳｂを主成分とする組成であり、
前記相変化型記録層がさらにＧｅ及びＴｅを含有し、前記相変化型記録層中におけるＧｅの含有量が１原子％以上３０原子％以下であり、Ｔｅの含有量が１０原子％以上３０原子％以下であり、
前記相変化型記録層中においてＳｂ／Ｔｅが４．５以上であり、ＧｅとＴｅとの原子比を１：３〜１：２０とすることを特徴とする書き換え型光記録媒体に存する（請求項１）。
【手続補正２】
【補正対象書類名】明細書
【補正対象項目名】００２３
【補正方法】変更
【補正の内容】
【００２３】
このとき、前記相変化型記録層が、Ｇｅｙ（ＳｂｘＴｅ１−ｘ）１−ｙ（ただし、０．０１≦ｙ≦０．０６、０．８２≦ｘ≦０．９）で表される組成を主成分とし、レーザー光を用いて前記書き換え型光記録媒体を初期結晶化する際に、前記レーザー光に対して前記書き換え型光記録媒体の線速度が０．１ｍ／ｓ〜３ｍ／ｓとなるようにしてレーザー光を照射することにより初期結晶化がなされることが好ましい（請求項２）。
【手続補正３】
【補正対象書類名】明細書
【補正対象項目名】００２４
【補正方法】変更
【補正の内容】
【００２４】
また、前記相変化型記録層が、ＭｚＧｅｙ（ＳｂｘＴｅ１−ｘ）１−ｙ−ｚ（ただし、０．０１≦ｚ≦０．１、０．０１≦ｙ≦０．０６、０．８２≦ｘ≦０．９であり、ＭはＧａ及びＩｎからなる群から選ばれた少なくとも一種の元素を表す。）で表される組成を主成分とする合金であることが好ましい（請求項３）。
【手続補正４】
【補正対象書類名】明細書
【補正対象項目名】００２５
【補正方法】変更
【補正の内容】
【００２５】
さらに、前記相変化型記録層中におけるＳｂ／Ｔｅ比が５．５以上７．３以下の範囲にあることが好ましい（請求項４）。
【手続補正５】
【補正対象書類名】明細書
【補正対象項目名】００２６
【補正方法】変更
【補正の内容】
【００２６】
さらに、前記相変化型記録層の膜厚が１０〜３０ｎｍであることが好ましい（請求項５）。
【手続補正６】
【補正対象書類名】明細書
【補正対象項目名】００２７
【補正方法】変更
【補正の内容】
【００２７】
さらに、前記書き換え型光記録媒体がさらに反射層を有し、反射層の面積抵抗率が０．０５Ω／□以上０．２Ω／□以下であることが好ましい（請求項６）。
【手続補正７】
【補正対象書類名】明細書
【補正対象項目名】００２８
【補正方法】変更
【補正の内容】
【００２８】
変調度ｍ１１及び、結晶状態の反射率Ｒｔｏｐのいずれもが、温度１０５℃の加速試験環境下で３時間後保持した後においても、その初期値の９０％以上を維持することが好ましい（請求項７）。
【手続補正８】
【補正対象書類名】明細書
【補正対象項目名】００２９
【補正方法】変更
【補正の内容】
【００２９】
本発明の別の要旨は、案内溝が形成された基板と相変化型記録層とを有してなり、該相変化型記録層の結晶状態の部分を未記録・消去状態に対応させ、該相変化型記録層の非晶質状態の部分を記録状態に対応させて、記録光を照射することにより該記録状態に対応する非晶質マークを形成させる書き換え型光記録媒体において、
前記相変化型記録層がＳｂを主成分とする組成であり、
前記相変化型記録層中におけるＧｅの含有量が１原子％以上３０原子％以下であり、Ｔｅの含有量が１０原子％未満であり、
前記相変化型記録層が、ＴｅγＭ１β（ＧｅαＳｂ１−α）１−βーγ（ただし、０．０１≦α≦０．３、０≦β≦０．３、０≦γ＜０．１、２≦β／γ、０＜β＋γ≦０．４であり、Ｍ１はＩｎ、Ｇａ、及びＳｎからなる群から選ばれる一つである。）で表される組成を主成分とする合金であることを特徴とする書き換え型光記録媒体に存する（請求項８）。
【手続補正９】
【補正対象書類名】明細書
【補正対象項目名】００３０
【補正方法】変更
【補正の内容】
【００３０】
このとき、前記相変化型記録層の膜厚が１０〜３０ｎｍであることが好ましい（請求項９）。
【手続補正１０】
【補正対象書類名】明細書
【補正対象項目名】００３１
【補正方法】変更
【補正の内容】
【００３１】
また、前記書き換え型光記録媒体がさらに反射層を有し、反射層の面積抵抗率が０．０５Ω／□以上０．２Ω／□以下であることが好ましい（請求項１０）。
【手続補正１１】
【補正対象書類名】明細書
【補正対象項目名】００３２
【補正方法】変更
【補正の内容】
【００３２】
さらに、変調度ｍ１１及び、結晶状態の反射率Ｒｔｏｐのいずれもが、温度１０５℃の加速試験環境下で３時間後保持した後においても、その初期値の９０％以上を維持することが好ましい（請求項１１）。
【手続補正１２】
【補正対象書類名】明細書
【補正対象項目名】００６１
【補正方法】変更
【補正の内容】
【００６１】
ｍ＝１（ｎ＝３）の場合には、一対の記録パワー照射区間α１’Ｔとバイアスパワー照射区間β１’Ｔからなる記録光の照射を行う。
記録方式ＣＤ２−２；
波長７８０ｎｍの光を、開口数ＮＡが０．５の光学系を介して照射する。
この際、１つの非晶質マークの時間的長さをｎＴ（ｎは３から１１までの整数）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０までの実数）を、
α１Ｔ、β１Ｔ、α２Ｔ、β２Ｔ、・・・・、αｍＴ、βｍＴ、
からなるｍ個のαｉＴとβｉＴとからなる区間に分割し、かつ、各区間がα１＝０．１〜１、αｉ＝０．１〜１（ｉは２〜ｍ−１の整数であり、αｉはかかるｉによらず０．１〜１の間の一定値αｃをとる）、β１＋α２＝１．７〜２．３、βｉ−１＋αｉ＝２（ｉは３〜ｍ−１の整数）、βｍ−１＋αｍ＝１．７〜２．３、αｍ＝０．１〜１、βｍ＝０〜２、の順に、Σｉ（αｉ＋βｉ）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０までの実数）を、
α１’Ｔ、β１’Ｔ、α２’Ｔ、β２’Ｔ、・・・・、αｍ’Ｔ、βｍ’Ｔ、
からなるｍ個のαｉ’Ｔとβｉ’Ｔとからなる区間に分割し、かつ、各区間がα１＝α１、β１’＝β１、αｉ’＝αｃ（ｉは２〜ｍ−１の整数）、βｉ−１’＋αｉ’＝２（ｉは３〜ｍ−１の整数）、βｍ−１’＝βｍ−１＋Δｍ−１（Δｍ−１＝０〜０．６）、αｍ’＝αｍ＋Δｍ（０＜Δｍ≦０．６）、Δｍｍ＝Δｍ−１＋Δｍ＝０．５〜１．２、βｍ’＝βｍ＋Δｍ’（Δｍ’＝０〜１）の順に、
Σｉ（αｉ’＋βｉ’）＝ｎ−ｋとなるように分割し、
αｉＴおよびαｉ’Ｔなる時間（ｉは１〜ｍの整数）内には、記録層を溶融するに足る一定の記録パワーＰｗの記録光（ただし、Ｐｗは２０〜４０ｍＷであり、Ｐｅ／Ｐｗ＝０．２〜０．６とする）を照射し、
βｉＴおよびβｉ’Ｔなる時間（ｉは１〜ｍの整数）内には、１ｍＷ未満のバイアスパワーＰｂの記録光を照射する。
【手続補正１３】
【補正対象書類名】明細書
【補正対象項目名】００８２
【補正方法】変更
【補正の内容】
【００８２】
図１６に示すように、ｎＴマークのｎのとり得る値が奇数であるか偶数であるかに分けて考える。分割数ｍが同じ偶数長マークと奇数長マークのマーク長差１Ｔの補正を、記録パルス周期（βｍ−１＋αｍ）Ｔ及び最後尾のオフパルスβｍＴに分散して割り当てる。つまり、マーク長１Ｔの補正をオフパルス長βｍ−１Ｔ及びβｍＴ、さらには最後尾の記録パルス区間パルスαｍＴの調整にて行う。
【手続補正１４】
【補正対象書類名】明細書
【補正対象項目名】０１００
【補正方法】変更
【補正の内容】
【０１００】
このように特定範囲の媒体を規定する場合には、記録方式ＣＤ１−２と記録方式ＣＤ２−２を組み合わせて、最高線速度Ｖｍａｘが２４倍速又は３２倍速である書き換え型ＣＤ−ＲＷを規定することが特に好ましい。
さらに、このような３２倍速又は２４倍速対応の媒体特性の規定方法において、記録方式ＣＤ１−２において、特に以下のように限定した記録方式ＣＤ１−３とすることで、より具体的に媒体特性を限定できる。従って、そのような媒体を複数の記録装置で記録する場合の互換性が確保できて好ましい。すなわち、
（記録方式ＣＤ１−３）
ｍ＝２以上のマーク長においては、Ｔｄ１’＝Ｔｄ１＝２−αｃ、αｉ’＝αｉ＝αｃ（ｉ＝１〜ｍ−１）、βｉ’＝βｉ＝２−αｃ（ｉ＝１〜ｍ−２）、αｍ＝αｃ、βｍ−１＝２−αｃで一定、かつ、βｍ−１’＝１＋Δｍ０（０＜Δｍ０≦０．６）、αｍ’＝１＋Δｍ０（０＜Δｍ０≦０．６）、βｍ’＝βｍ＋Δｍ’とし、Δｍ０、Δｍ’、をｍによらず一定とする。ここで、ｍ＝２の場合、β１、β１’、α２、α２’、β２、β２’は、それぞれ、ｍ＝３の場合のβ２（βｍ−１）、β２’（βｍ−１’）、α３（αｍ）、α３’（αｍ’）、β３（βｍ）、β３’（βｍ’）とみなす。αｃは０．７〜１．２、より好ましくは０．７〜１、特に好ましくは０．９〜１とする。
【手続補正１５】
【補正対象書類名】明細書
【補正対象項目名】０１０４
【補正方法】変更
【補正の内容】
【０１０４】
また、ｎが奇数である記録マークの後端部の形状を安定化してジッタ特性を改良する観点から、Δｍ’を０≦Δｍ’≦１の範囲とするのが好ましく、０≦Δｍ’≦０．６の範囲とするのがより好ましく、０≦Δｍ’≦０．５の範囲とするのが特に好ましい。
そして、各線速度において、図１７の手順に従って、最小限のパラメータの最適値を見出していく。すなわち、
１）Ｐｗ、Ｐｅ及びＰｂの暫定値Ｐｗａ、Ｐｅａ、Ｐｂａを決める。
２）偶数マーク及びスペース長（ｎ＝４，６，８，１０をすべて含む）だけからなるＥＦＭ信号をＰｗａ，Ｐｅａ、Ｐｂａを照射して記録する。αｃ、βｍを可変として、ｍ１１＝０．６〜０．８となる範囲内で、１倍速再生時に各マーク長及びスペース長が所定の長さとして再生され、ジッター値が３５ｎｓｅｃとなるようなαｃ、βｍを決める。
３）続いて、上記偶数長マーク及びスペース長だけからなるＥＦＭ信号に、ｎ＝３以外の奇数マーク長およびスペース長（ｎ＝５，７，９，１１をすべて含む）を加えてなるＥＦＭ信号をＰｗａ，Ｐｅａ、Ｐｂａを照射して記録する。αｃ、βｍは、上記値を用い、Δｍ０＝Δｍ−１＝Δｍ、Δｍ’を可変として、１倍速再生時に各マーク長、及びスペース長が所定の長さとして再生され、ジッター値が３５ｎｓｅｃとなるような値を見出す。
４）最後に、３Ｔマーク及びスペースを加えた、完全なＥＦＭ信号をＰｗａ，Ｐｅａ、Ｐｂａを照射して記録する。ｎ＝２以上のマーク長に関しては、上記、αｃ、βｍ、Δｍ０＝Δｍ−１＝Δｍ、Δｍ’値を用いる。ｎ＝３に関する、Ｔｄ１’、α１’、β１’のみ可変として、１倍速再生時に３Ｔマーク長およびスペース長が所定の長さとして再生され、ジッター値が３５ｎｓｅｃとなるような値を見出す。
５）Ｐｗａ，Ｐｅａを可変として、ｍ１１＝０．６〜０．８の範囲で、主としてジッタ又はエラーレートが最小となるようＰｗ，Ｐｅの微調整を行う。
という手順である。各ステップにおいて、ｍ１１＝０．６〜０．８、ジッタ３５ｎｓｅｃが得られなければ、その媒体は本発明要件を満足しないといえる。
【手続補正１６】
【補正対象書類名】明細書
【補正対象項目名】０１６９
【補正方法】変更
【補正の内容】
【０１６９】
このように特定範囲の媒体を規定する場合には、記録方式ＤＶＤ１−２と記録方式ＤＶＤ２−２を組み合わせて、最高線速度Ｖｍａｘが６倍速、８倍速、１０倍速、又は１２倍速であるＲＷ−ＤＶＤを規定することが特に好ましい。
さらに、このような６倍速、８倍速、１０倍速、又は１２倍速対応の媒体特性の規定方法において、記録方式ＤＶＤ１−２において、特に以下のように限定した記録方式ＤＶＤ１−３とすることで、より具体的に媒体特性を限定できる。従って、そのような媒体を複数の記録装置で記録する場合の互換性が確保できて好ましい。すなわち、
（記録方式ＤＶＤ１−３）
ｍ＝２以上のマーク長においては、Ｔｄ１’＝Ｔｄ１＝２−αｃ、αｉ’＝αｉ＝αｃ（ｉ＝１〜ｍ−１）、βｉ’＝βｉ＝２−αｃ（ｉ＝１〜ｍ−２）、αｍ＝αｃ、βｍ−１＝２−αｃで一定、かつ、βｍ−１’＝１＋Δｍ０（０＜Δｍ０≦０．７）、αｍ’＝１＋Δｍ０（０＜Δｍ０≦０．７）、βｍ’＝βｍ＋Δｍ’とし、Δｍ０、Δｍ’、βｍ、をｍによらず一定とする。ここで、ｍ＝２の場合、β１、β１’、α２、α２’、β２、β２’は、それぞれ、ｍ＝３の場合のβ２（βｍ−１）、β２’（βｍ−１’）、α３（αｍ）、α３’（αｍ’）、β３（βｍ）、β３’（βｍ’）とみなす。αｃは０．７〜１．２、より好ましくは０．７〜１、特に好ましくは０．９〜１とする。
【手続補正１７】
【補正対象書類名】明細書
【補正対象項目名】０１７４
【補正方法】変更
【補正の内容】
【０１７４】
また、ｎが奇数である記録マークの後端部の形状を安定化してジッタ特性を改良する観点から、Δｍ’を０≦Δｍ’≦１の範囲とするのが好ましく、０≦Δｍ’≦０．６の範囲とするのがより好ましく、０≦Δｍ’≦０．５の範囲とするのが特に好ましい。
そして、各線速度において、図１７の手順に従って、最小限のパラメータの最適値を見出していく。すなわち、
１）Ｐｗ、Ｐｅ、及びＰｂの暫定値Ｐｗａ、Ｐｅａ、Ｐｂａを決める。
２）偶数マーク及びスペース長（ｎ＝４，６，８，１０、１４をすべて含む）だけからなるＥＦＭ＋信号をＰｗａ，Ｐｅａ、Ｐｂａを照射して記録する。αｃ、βｍを可変として、ｍ１４＝０．５５〜０．８となる範囲内で、１倍速再生時に各マーク長及びスペース長が所定の長さとして再生され、ジッター値が１５％以下となるようなαｃ、βｍを決める。
３）続いて、上記偶数長マーク及びスペース長だけからなるＥＦＭ＋信号に、ｎ＝３以外の奇数マーク長およびスペース長（ｎ＝５，７，９，１１をすべて含む）を加えてなるＥＦＭ＋信号をＰｗａ，Ｐｅａ、Ｐｂａを照射して記録する。αｃ、βｍは、上記値を用い、Δｍ０＝Δｍ−１＝Δｍ、Δｍ’を可変として、１倍速再生時にジッター値が１５％以下となるような値を見出す。
４）最後に、３Ｔマーク及びスペースを加えた、完全なＥＦＭ＋信号をＰｗａ，Ｐｅａ、Ｐｂａを照射して記録する。ｎ＝２以上のマーク長に関しては、上記、αｃ、βｍ、Δｍ０＝Δｍ−１＝Δｍ、Δｍ’値を用いる。ｎ＝３に関する、Ｔｄ１’、α１’、β１’のみ可変として、１倍速再生時にジッター値が１５％以下となるような値を見出す。
５）Ｐｗａ，Ｐｅａを可変として、ｍ１４＝０．５５〜０．８の範囲で、主としてジッタ又はエラーレートが最小となるようＰｗ，Ｐｅの微調整を行う。
という手順である。各ステップにおいて、ｍ１４＝０．５５〜０．８、ジッタ１５％以下が得られなければ、その媒体は本発明要件を満足しないといえる。
【手続補正１８】
【補正対象書類名】明細書
【補正対象項目名】０１８０
【補正方法】変更
【補正の内容】
【０１８０】
非晶質形成を促進させ、かつ非晶質状態の経時安定性を高める上記添加元素は、結晶化温度を高める効果もある。このような添加元素としては、Ｇｅ、Ｔｅ、Ｉｎ、Ｇａ、Ｓｎ、Ｐｂ、Ｓｉ、Ａｇ、Ｃｕ、Ａｕ、希土類元素、Ｔａ、Ｎｂ、Ｖ、Ｈｆ、Ｚｒ、Ｗ、Ｍｏ、Ｃｕ、Ｃｒ、Ｃｏ、窒素、酸素、及びＳｅ等を用いることができる。これら添加元素のうち、非晶質形成の促進、非晶質状態の経時安定性の向上、及び結晶化温度を高める観点から、好ましいのはＧｅ、Ｔｅ、Ｉｎ、Ｇａ、及びＳｎからなる群から選ばれる少なくとも１つとすることであり、特に好ましいのは、Ｇｅ及び／又はＴｅを用いることである。
【手続補正１９】
【補正対象書類名】明細書
【補正対象項目名】０３１４
【補正方法】変更
【補正の内容】
【０３１４】
結局、３以上のｍ（６以上のｎ）においては、周期（β１＋α２）Ｔ及び／又は（βｍ−１＋αｍ）Ｔにおいて、微調整を行うことにより、所望のマーク長ｎＴを達成する。このうち、α２も他のαｉ（ｉ＝３〜ｍ−１）と同一の値αｃをとることが望ましい。さらに偶数マークにおいては、αｍも同一値αｃをとることが望ましい。このようにすることにより、記録パルスストラテジーの記録パルス及びオフパルスのレーザー光（パルス光）発生を制御する制御回路の設計がより簡便化されるようになる。
【手続補正２０】
【補正対象書類名】明細書
【補正対象項目名】０３５６
【補正方法】変更
【補正の内容】
【０３５６】
ここで、パルス分割方法（ＩＩ−Ａ）においては、記録パルスストラテジーの記録パルス及びオフパルスのレーザー光（パルス光）の制御を行う制御回路（電子回路）の設計をより簡略化するために、３以上のｍにおいては、Ｔｄ１＋α１＝２、α１＝αｃ、β１＋α２＝２、βｍ−１＋αｍ＝２、及びαｍ＝αｃのうち少なくとも一つの式が成り立つようにすることが好ましい。
【手続補正２１】
【補正対象書類名】明細書
【補正対象項目名】０３８９
【補正方法】変更
【補正の内容】
【０３８９】
そして、記録パルス分割方法（Ｉ）を基本として、記録パルス分割方法（ＩＶ）を適用する。
（記録パルス分割方法（ＩＶ））
書き換え型光記録媒体が円盤状のディスクであり、同一ディスク面内において、１倍速基準速度でＣＬＶ記録されたディスクと同一となるよう記録線密度を一定としながら複数の記録線速度で記録を行う光記録方法であって、最大線速度Ｖｍａｘにおけるαｉ＝αｉｍａｘ（ｉ＝１〜ｍ）を０．５〜２とし、かつ該Ｖｍａｘにおけるαｉ’＝αｉｍａｘ’（ｉ＝１〜ｍ）を０．５〜２とし、低線速度ほどαｉ及びαｉ’（ｉ＝１〜ｍ）をそれぞれ単調に減少させるように上記記録パルス分割方法（Ｉ）を用いる方法である。
【手続補正２２】
【補正対象書類名】明細書
【補正対象項目名】０３９０
【補正方法】変更
【補正の内容】
【０３９０】
記録パルス分割方法（Ｉ）から派生した（ＩＩ），（ＩＩ−Ａ）（ＩＩＩ）、（ＩＩＩ−Ａ）、（ＩＩＩ−Ｂ）の各々に対しても同様に、記録パルス分割方法が定義できる。下記「記録パルス分割方法（Ｖ）」は、記録パルス分割方法（ＩＶ）において記録パルス分割方法（ＩＩ）を用いる場合である。
なお、以下の説明において、１倍速基準線速度、最大線速度Ｖｍａｘ、最小線速度Ｖｍｉｎについて特に断らない場合は、ＣＤ−ＲＷとＲＷ−ＤＶＤで値を使い分ける。
【手続補正２３】
【補正対象書類名】明細書
【補正対象項目名】０３９２
【補正方法】変更
【補正の内容】
【０３９２】
同様に、最小線速度Ｖｍｉｎとは、ＣＤ−ＲＷの場合、約２２倍速以下のいずれかの線速
度であり、ＲＷ−ＤＶＤの場合、約７倍速以下のいずれかの線速度である。当然のことながら、ＶｍａｘとＶｍｉｎが対で用いられる場合、Ｖｍａｘ＞Ｖｍｉｎとなる、線速度範囲から選ばれる。
従って、以下の説明においては、ＣＤ−ＲＷを想定する場合には、１倍速基準線速度、Ｖｍａｘ、Ｖｍｉｎとして上記記載のＣＤ−ＲＷの値を用い、ＲＷ−ＤＶＤを想定する場合には、１倍速基準線速度、Ｖｍａｘ、Ｖｍｉｎとして上記記載のＲＷ−ＤＶＤの値を用いる。
（記録パルス分割方法（Ｖ））
書き換え型光記録媒体が円盤状のディスクであり、同一ディスク面内において、１倍速基準速度でＣＬＶ記録されたディスクと同一となるよう記録線密度を一定としながら複数の記録線速度で記録を行う光記録方法であって、最大線速度Ｖｍａｘにおけるαｉ＝αｉｍａｘ（ｉ＝１〜ｍ）を０．５〜２とし、かつ該Ｖｍａｘにおけるαｉ’＝αｉｍａｘ’（ｉ＝１〜ｍ）を０．５〜２とし、低線速度ほどαｉ及びαｉ’（ｉ＝１〜ｍ）をそれぞれ単調に減少させるように上記記録パルス分割方法（ＩＩ）を用いる方法である。
【手続補正２４】
【補正対象書類名】明細書
【補正対象項目名】０３９３
【補正方法】変更
【補正の内容】
【０３９３】
また、上記記録パルス分割方法（Ｖ）において記録パルス分割方法（ＩＩ−Ａ）を用いる場合を、記録パルス分割方法（Ｖ−Ａ）とする。
さらに、記録パルス分割方法（ＩＶ）において、記録パルス分割方法（ＩＩＩ）を用いる場合を下記のように記録パルス分割方法（ＶＩ）とする。
（記録パルス分割方法（ＶＩ））
書き換え型光記録媒体が円盤状のディスクであり、同一ディスク面内において、１倍速基準速度でＣＬＶ記録されたディスクと同一となるよう記録線密度を一定としながら複数の記録線速度で記録を行う光記録方法であって、最大線速度Ｖｍａｘにおけるαｉ＝αｉｍａｘ（ｉ＝１〜ｍ）を０．５〜２とし、かつ該Ｖｍａｘにおけるαｉ’＝αｉｍａｘ’（ｉ＝１〜ｍ）を０．５〜２とし、低線速度ほどαｉ及びαｉ’（ｉ＝１〜ｍ）をそれぞれ単調に減少させるように上記記録パルス分割方法（ＩＩＩ）を用いる方法である。
【手続補正２５】
【補正対象書類名】明細書
【補正対象項目名】０３９７
【補正方法】変更
【補正の内容】
【０３９７】
なお、ｎ＝３の場合にも、α１’は低線速ほど単調減少させる。一方、Ｔｄ１’、β１’は、低線速ほど単調に増加させる。
ここで、記録線密度を一定とするということは、記録線速度をＶ、そのときの基準クロック周期をＴとするとき、ＶＴが一定であることを意味する。かつ、記録線密度を一定とするということは、１倍速基準線速度Ｖ１における、基準クロック周期をＴ１とするとき、ＶＴ＝Ｖ１Ｔ１とすることを意味する。これにより、記録時の線速度の大小に関わらず、線速度一定で再生した場合には、ＣＤと同じ再生系での再生が可能となる。なお、ＶＴはＶ１Ｔ１に対して、ＣＤの再生回路上許容される程度のずれ、通常、±５％程度のずれは許されるものとする。
【手続補正２６】
【補正対象書類名】明細書
【補正対象項目名】０４３２
【補正方法】変更
【補正の内容】
【０４３２】
このとき、基準クロック周期Ｔを各半径位置における線速度Ｖとの積ＶＴが一定となるように半径距離と反比例して変化させればマーク長ｎＴは回転角速度によらず一定となり、完全なＣＡＶモードでの記録でありながら、再生専用のＣＤ又は再生専用のＤＶＤと互換性のある一定線密度の記録ができる。
ここで、記録領域にはユーザーデータの記録領域以外に、システムが使用する試し書き領域、リードイン、リードアウト領域等も含む。従って、２２ｍｍ及び５８ｍｍという半径位置については±１ｍｍ程度の誤差を含んでいってもよい。また、この許容誤差に対応して以下で用いられる周波数値等にも若干のずれが生じるが、それも許容される。
【手続補正２７】
【補正対象書類名】明細書
【補正対象項目名】０４３４
【補正方法】変更
【補正の内容】
【０４３４】
光ディスク記録再生装置１には、該ディスクの中心部分を軸として等角速度回転させる手段であるスピンドルモーターＭ１と、記録再生のための集束光ビームを発生する光ピックアップを所定のアドレスに移動させる半径方向の移動機構（ＬＭ１）としてのリニアモーターを有する。ピックアップＰＵ１には、光ディスクの記録層面にレーザーダイオードを光源とする集束光ビームの焦点をあわせるフォーカスサーボ回路（ＦＥ１）と、該螺旋状の溝に沿って集束光ビームを走査させるための溝トラッキングサーボ回路（ＴＥ１）が組み込まれている。フォーカスサーボ回路には、非点収差法等の公知の手法が用いられる。トラッキングサーボ回路には、プッシュプル法や３ビーム法の公知の手法が用いられる（以上、「コンパクトディスク読本」第３版、オーム社、中島平太郎、小川博共著参照）。
光ディスク記録再生装置１は、さらに溝蛇行から搬送周波数ｆＡ０、アドレス情報及びブロック同期信号を検出・解読する回路（ＷＡＤ１）と、該記録ブロックの開始位置及びデータの基準クロックＴ（周波数ｆｄ０）に同期してエンコーダＥＤ１及びＥＤ２によってマーク長変調された記録データ列を発生する回路と、該記録データ列に対応して記録レーザーパワーを変調する回路（ＷＰ１）とを有する。
【手続補正２８】
【補正対象書類名】明細書
【補正対象項目名】０４６２
【補正方法】変更
【補正の内容】
【０４６２】
一方、ｍが３以上の奇数マーク長がｎＴ＝（２ｍ＋１）Ｔに対しては、マークの記録に際して、マークをｍ個の区間に分割し、記録パルス区間αｉ’Ｔ及びオフパルス区間βｉ’Ｔにおけるαｉ’及びβｉ’を、
Ｔｄ１’＋α１’＝２、
β１’＋α２’＝２．２、ただし、β１’＝β１＋Δ１、
βｉ−１’＋αｉ’＝２（ｉ＝３〜ｍ−１）、
βｍ−１’＋αｍ’＝２．５５、ただし、βｍ−１’＝βｍ−１＋Δｍ−１、αｍ’＝αｍ＋Δｍ、
とした。
【手続補正２９】
【補正対象書類名】明細書
【補正対象項目名】０４７３
【補正方法】変更
【補正の内容】
【０４７３】
図７、８の（ｅ）、（ｆ）の図中の実線の横線は１倍速再生時の３Ｔマーク長＝３Ｔスペース長＝２３１×３（ｎｓｅｃ）を示す。また、点線の横線は２３１ｎｓｅｃ×３−４０ｎｓｅｃ、２３１ｎｓｅｃ×３＋４０ｎｓｅｃを示す。マーク長、スペース長については通常±２０％程度のずれは許容されるから、±３０〜４０ｎｓｅｃ以内であればよいが、図から、マーク長及びスペース長のずれはほとんどなく許容範囲内であることが分かる。同様に、最適Ｐｗ付近においては、４Ｔ〜１１Ｔのマーク長及びスペース長においても、基準クロック周期Ｔの±１０％程度の範囲内で所望のマーク長及びスペース長が得られた。
【手続補正３０】
【補正対象書類名】明細書
【補正対象項目名】０４８８
【補正方法】変更
【補正の内容】
【０４８８】
一方、ｍが３以上の奇数マーク長がｎＴ＝（２ｍ＋１）Ｔに対しては、マークの記録に際して、マークをｍ個の区間に分割し、記録パルス区間αｉ’Ｔ及びオフパルス区間βｉ’Ｔにおけるαｉ’及びβｉ’を、
Ｔｄ１’＋α１’＝２、
β１’＋α２’＝２．４、ただし、β１’＝β１＋Δ１、
βｉ−１’＋αｉ’＝２（ｉ＝３〜ｍ−１）、
βｍ−１’＋αｍ’＝２．５５、ただし、βｍ−１’＝βｍ−１＋Δｍ−１、αｍ’＝αｍ＋Δｍ、
とした。
【手続補正３１】
【補正対象書類名】明細書
【補正対象項目名】０４９１
【補正方法】変更
【補正の内容】
【０４９１】
３Ｔマークに対しては、Ｔｄ１’＝１．５、α１’＝０．８、β１’＝２としている。
次に、Ｔｄ１、Ｔｄ１’をすべてのｎにおいて一定とせず、３Ｔ及び４Ｔマークで異なる値をとる記録パルス分割方法（ＩＩ―Ａ）の場合について、２４倍速記録において、以下の記録方式ＣＤ−ＩＩｂを用いて検討を行った。
（記録方式ＣＤ−ＩＩｂ）
ｍが３以上の偶数長マークがｎＴ＝２ｍＴに対しては、マークをｍ個の区間に分割し、記録パルス区間αｉＴ及びオフパルス区間βｉＴにおけるαｉ及びβｉを、Ｔｄ１＋α１＝２、
βｉ−１＋αｉ＝２（ｉ＝２〜ｍ−１）、βｍ−１＋αｍ＝１．９、とした。
【手続補正３２】
【補正対象書類名】明細書
【補正対象項目名】０４９４
【補正方法】変更
【補正の内容】
【０４９４】
さらに、３Ｔマークに対しては、Ｔｄ１’＝０．５、α１’＝２．４、β１’＝０．４５としている。
なお、各記録方式でのＴｄ１、αｉ、βｉ等を表−２にまとめて示す。いずれの記録方式も記録パルス分割方法（ＩＩ−Ａ）又は（Ｖ）に準じているので、ｍが３以上の場合に関しては、記録パルス分割方法（ＩＩ−Ａ）における、１０個のパラメータ（Ｔｄ１、α１、β１、Δ１、αｃ、βｍ−１、Δｍ−１、αｍ、Δｍ、βｍ）及び、ｎ＝３，４，５におけるＴｄ１、αｉ、βｉを記載した。ただし、ｎ＝３の場合の（Ｔｄ１’、α１’、β１’）は、Ｔｄ１、α１、β１の項に記載した。ｎ＝４の場合の（Ｔｄ１、α１、β１、α２、β２）及び、ｎ＝５の場合の（Ｔｄ１’、α１’、β１’、α２、’、β２’）は、Ｔｄ１、α１、β１、αｍ、βｍの欄に記載した。ここで、記録方式ＣＤ１−１ｂ、２−１ｂにおいては、ｎ＝４の場合のβ１は、ｍが３以上（ｎ≧６）の場合のβｍ−１に等しく、ｎ＝５の場合のβ１’は、ｍが３以上（ｎ≧６）の場合のβ１’（＝β１＋Δ１）と等しい。記録方式ＩＩｂにおいては、ｎ＝４、５の場合のβ１、β１’はそれぞれ、ｍが３の場合のβ１、β１’（＝β１＋Δ１）と等しい。
【手続補正３３】
【補正対象書類名】明細書
【補正対象項目名】０５０７
【補正方法】変更
【補正の内容】
【０５０７】
一方、ｍが３以上の場合の奇数マーク長、ｎＴ＝（２ｍ＋１）Ｔに対しては、マークをｍ個の区間に分割し、記録パルス区間αｉ’Ｔ及びオフパルス区間βｉ’Ｔにおけるαｉ’及びβｉ’を、以下のように設定した。
Ｔｄ１’＋α１’＝２、
β１’＋α２’＝２．３５、ただし、β１’＝β１＋Δ１、
βｉ−１’＋αｉ’＝２（ｉ＝３〜ｍ−１）、
βｍ−１’＋αｍ’＝２．４５、ただし、βｍ−１’＝βｍ−１＋Δｍ−１、αｍ’＝αｍ＋Δｍ、
とした。
【手続補正３４】
【補正対象書類名】明細書
【補正対象項目名】０５１３
【補正方法】変更
【補正の内容】
【０５１３】
３Ｔマークに対しては、Ｔｄ１’＝１．５、α１’＝０．６、β１’＝２．１としている。
なお、各記録方式でのＴｄ１、αｉ、βｉ等を表−３にまとめて示す。いずれの記録方式も記録パルス分割方法（ＩＩ−Ａ）又は（Ｖ）に準じているので、ｍが３以上の場合に関しては、記録パルス分割方法（ＩＩ−Ａ）における、１０個のパラメータ（Ｔｄ１、α１、β１、Δ１、αｃ、βｍ−１、Δｍ−１、αｍ、Δｍ、βｍ）及び、ｎ＝３，４，５におけるＴｄ１、αｉ、βｉを記載した。ただし、ｎ＝３の場合の（Ｔｄ１’、α１’、β１’）は、Ｔｄ１、α１、β１の項に記載した。ｎ＝４の場合の（Ｔｄ１、α１、β１、α２、β２）及び、ｎ＝５の場合の（Ｔｄ１’、α１’、β１’、α２、’、β２’）は、Ｔｄ１、α１、β１、αｍ、βｍの欄に記載した。
【手続補正３５】
【補正対象書類名】明細書
【補正対象項目名】０５２７
【補正方法】変更
【補正の内容】
【０５２７】
３Ｔマークに対しては、Ｔｄ１’＝１．５、α１’＝０．７、β１’＝１．７としている。
なお、各記録方式でのＴｄ１、αｉ、βｉ等を表−４にまとめて示す。
表−４において、記録パルス分割方式はｎ＝３の場合とｎが４〜１１の場合とに分けて記載した。ｎ＝３の場合には、Ｔｄ１’、α１’、β１’の３つのパラメータが必要であるが、表−４では、それぞれＴｄ１、α１、βｍの欄に記載した。ｎが４〜１１の場合には、記録パルス分割方法（ＩＩＩ−Ａ）において、Ｔｄ１＋α１＝Ｔｄ１’＋α１’＝２、β１＋α２＝βｍ−１＋αｍ＝２、α１＝αｍ＝αｃ、Δｍはｍによらず一定とした。したがって、表−４では、Ｔｄ１、β１、βｍ−１、βｍ、αｍも含めて１０個のパラメータを記載しているが、独立パラメータはα１、αｃ、Δｍ−１、Δｍ、Δｍ’の５個である。また、ｎ＝４の場合には、β１＝βｍ−１＝βｃ、α２＝αｍ＝αｃ、β２＝βｍである。ｎ＝５の場合には、β１’＝βｃ＋Δｍ−１、α２＝αｃ＋Δｍ、β２’＝βｍ’＋Δｍ’である。
【手続補正３６】
【補正対象書類名】明細書
【補正対象項目名】０５４６
【補正方法】変更
【補正の内容】
【０５４６】
３Ｔマークに対しては、Ｔｄ１’＝１．３、α１’＝１．１、β１’＝０．９５としている。
さらに、１０倍速記録の場合には、記録方式ＣＤ２−１の具体例として、以下の（記録方式ＣＤ２−１ｅ）を使用した。（記録方式ＣＤ２−１ｅ）は、記録パルス分割方法（Ｖ
）における、独立パラメータの数をさらに限定した使用方法となっている。
（記録方式ＣＤ２−１ｅ）
ｍが３以上の場合の、偶数マーク長ｎＴ＝２ｍＴに対しては、マークの記録に際して、マークをｍ個の区間に分割し、記録パルス区間αｉＴ及びオフパルス区間βｉＴにおけるαｉ及びβｉを、
Ｔｄ１＋α１＝２、
β１＋α２＝２、
βｉ−１＋αｉ＝２（ｉ＝２〜ｍ）、
とした。
【手続補正３７】
【補正対象書類名】明細書
【補正対象項目名】０５５０
【補正方法】変更
【補正の内容】
【０５５０】
３Ｔマークに対しては、Ｔｄ１’＝１．７、α１’＝０．５、β１’＝１．９としている。
なお、各記録方式でのＴｄ１、αｉ、βｉ等を表−５にまとめて示す。いずれの記録方式も記録パルス分割方法（ＩＩ）又は（Ｖ）に準じているので、ｍが３以上の場合に関しては、記録パルス分割方法（ＩＩ−Ａ）における、１０個のパラメータ（Ｔｄ１、α１、β１、Δ１、αｃ、βｍ−１、Δｍ−１、αｍ、Δｍ、βｍ）及び、ｎ＝３，４，５におけるＴｄ１、αｉ、βｉを記載した。ただし、ｎ＝３の場合の（Ｔｄ１’、α１’、β１’）は、Ｔｄ１、α１、β１の項に記載した。ｎ＝４の場合の（Ｔｄ１、α１、β１、α２、β２）及び、ｎ＝５の場合の（Ｔｄ１’、α１’、β１’、α２、’、β２’）は、Ｔｄ１、α１、β１、αｍ、βｍの欄に記載した。
【手続補正３８】
【補正対象書類名】明細書
【補正対象項目名】０５６９
【補正方法】変更
【補正の内容】
【０５６９】
ｎが４〜１１の場合には、記録パルス分割方法（ＩＩＩ−Ａ）において、Ｔｄ１＋α１＝Ｔｄ１’＋α１’＝２、β１＋α２＝βｍ−１＋αｍ＝２、α１＝αｍ＝αｃはｍによらず一定とした。
表−６では、Ｔｄ１、β１、βｍ−１、βｍ、αｍも含めて１０個のパラメータを記載しているが、独立パラメータはα１、αｃ、Δｍ−１、Δｍ１、Δｍ２、Δｍ’の６個である。ただし、Δｍ２とΔｍ１が異なる値となるのは、記録方式ＣＤ１−２ａ（３２倍速）の場合だけであって、ｍ＝２，３に対してΔｍ１＝０．４４を用い、ｍ＝４，５に対して、Δｍ２＝０．５を用いた。
【手続補正３９】
【補正対象書類名】明細書
【補正対象項目名】０５８４
【補正方法】変更
【補正の内容】
【０５８４】
次に、各倍速におけるオーバーライト耐久性の評価を行った。各線速で、表−７に示すＰｗ０及びＰｅ／Ｐｗ比において、オーバーライトを行ったときのオーバーライト回数依存性を図３９に表す。図３９において、（ａ）が３Ｔマーク長ジッタ、（ｂ）が３Ｔスペース長ジッタを示す。
以上まとめると本発明記録媒体及び記録パルス分割方式（ＣＤ−ＶＩ−１）を適用すれば、８〜２４倍速の広範囲において、少数のパラメータを可変とする記録パルス分割方式により良好な特性が得られる。
（実施例８）
ついで、実施例５の媒体に対してテスタ１を用い、表−８に示したように、記録パルス分割方式（ＣＤ−ＶＩ−２）を用いて、８倍速から３２倍速までの線速において、オーバーライト記録を行った。記録パルス分割方式（ＣＤ−ＶＩ−２）は、記録パルス分割方法（ＶＩ−Ｂ）を適用した例である。
【手続補正４０】
【補正対象書類名】明細書
【補正対象項目名】０５９１
【補正方法】変更
【補正の内容】
【０５９１】
次に、各倍速におけるオーバーライト耐久性の評価を行った。各線速で、表−８に示すＰｗ０及びＰｅ／Ｐｗ比において、オーバーライトを行ったときのオーバーライト回数依存性を図４１に表す。図４１において、（ａ）が３Ｔマーク長ジッタ、（ｂ）が３Ｔスペース長ジッタを示す。
以上まとめると本発明記録媒体及び記録パルス分割方式（ＣＤ−ＶＩ−２）を適用すれば、８〜３２倍速の広範囲において、少数のパラメータを可変とする記録パルス分割方式により良好な特性がえられる。
【手続補正４１】
【補正対象書類名】明細書
【補正対象項目名】０６０３
【補正方法】変更
【補正の内容】
【０６０３】
３Ｔマークに対しては、Ｔｄ１’＝１．６５、α１’＝０．５、β１’＝１．９としている。
なお、各記録方式でのＴｄ１、αｉ、βｉ等を表−９にまとめて示す。
表―９において、記録パルス分割方式はｎ＝３の場合とｎが４〜１１の場合とに分けて記載した。ｎ＝３の場合には、Ｔｄ１’、α１’、β１’の３つのパラメータが必要であるが、表−９では、それぞれＴｄ１、α１、βｍの欄に記載した。ｎが４〜１１の場合には、記録パルス分割方法（ＩＩＩ−Ａ）において、Ｔｄ１＋α１＝Ｔｄ１’＋α１’＝２、β１＋α２＝βｍ−１＋αｍ＝２、α１＝αｍ＝αｃ、Δｍはｍによらず一定とした。したがって、表−９では、Ｔｄ１、β１、βｍ−１、βｍ、αｍも含めて１０個のパラメータを記載しているが、独立パラメータはα１、αｃ、Δｍ−１、Δｍ、Δｍ’の５個である。また、ｎ＝４の場合には、β１＝βｍ−１＝βｃ、α２＝αｍ＝αｃ、β２＝βｍである。ｎ＝５の場合には、β１’＝βｃ＋Δｍ−１、α２＝αｃ＋Δｍ、β２’＝βｍ’である。
【手続補正４２】
【補正対象書類名】明細書
【補正対象項目名】０６０５
【補正方法】変更
【補正の内容】
【０６０５】
オーバーライト特性の評価結果を２４倍速の（記録方式ＣＤ１−２ｃ）と、８倍速の（記録方式ＣＤ２−２ｄ）について図４４に示す。消去パワーＰｅと記録パワーＰｗの比Ｐｅ／Ｐｗは、２４倍速の（記録方式ＣＤ１−２ｃ）は０．２７、８倍速の（記録方式ＣＤ２−２ｄ）は０．２７で一定とした。（記録方式ＣＤ１−２ｃ）では、Ｐｗを２６ｍＷ程度から３８ｍＷ程度まで２ｍＷ刻みで変化させた。（記録方式ＣＤ２−２ｄ）では、Ｐｗを２６ｍＷ程度から３６ｍＷ程度まで２ｍＷ刻みで変化させた。バイアスパワーＰｂは一定の値０．８ｍＷとしている。
【手続補正４３】
【補正対象書類名】明細書
【補正対象項目名】０６２６
【補正方法】変更
【補正の内容】
【０６２６】
ここで、Ｔｄ１＝Ｔｄ１’＝１、α１＝α１’＝１、αｉ＝αｉ’＝αｃ＝０．９（ｉ＝２〜ｍ−１のｉに対してαｃは一定）、βｍ−１＝１．１、Δｍ−１＝０．３５，Δｍ＝０．５、Δｍｍ＝０．８５，αｍ＝０．９、βｍ＝０．４、Δｍ’＝０で、２以上のｍに対しては一定である。
ただし、ｍ＝２の場合のβ１、α２、β２、β１’、α２’、β２’は、それぞれ、ｍが３以上の場合の、βｍ−１、αｍ、βｍ、βｍ−１’、αｍ’、βｍ’とみなす。すなわち、４Ｔマークに対しては、β１＝１．１、α２＝０．９、βｍ＝０．４とし、５Ｔマークに対しては、β１’＝１．４５、α２’＝１．４、βｍ’＝０．４とした。
【手続補正４４】
【補正対象書類名】明細書
【補正対象項目名】０６２７
【補正方法】変更
【補正の内容】
【０６２７】
ｍ＝１、すなわち３Ｔマークに対しては、Ｔｄ１’＝１．０、α１’＝１．４、β１’＝０．８５とした。
なお、記録方式でのＴｄ１、αｉ、βｉ等を表−１１にまとめて示す。
表−１１において、記録パルス分割方式はｎ＝３の場合とｎが４〜１１の場合とに分けて記載した。ｎ＝３の場合には、Ｔｄ１’、α１’、β１’の３つのパラメータが必要であるが、表−１１では、それぞれＴｄ１、α１、βｍの欄に記載した。ｎが４〜１１の場合には、記録パルス分割方法（ＩＩＩ−Ａ）において、Ｔｄ１＋α１＝Ｔｄ１’＋α１’＝２、β１＋α２＝βｍ−１＋αｍ＝２、α１＝αｍ＝αｃ、Δｍはｍによらず一定とした。したがって、表−１１では、Ｔｄ１、β１、βｍ−１、βｍ、αｍも含めて１０個のパラメータを記載しているが、独立パラメータはα１、αｃ、Δｍ−１、Δｍ、Δｍ’の５個である。また、ｎ＝４の場合には、β１＝βｍ−１＝βｃ、α２＝αｍ＝αｃ、β２＝βｍである。ｎ＝５の場合には、β１’＝βｃ＋Δｍ−１、α２＝αｃ＋Δｍ、β２’＝βｍ’である。
【手続補正４５】
【補正対象書類名】明細書
【補正対象項目名】０６５４
【補正方法】変更
【補正の内容】
【０６５４】
消去パワーＰｅと記録パワーＰｗの比Ｐｅ／Ｐｗは０．２７一定としＰｗを変化させ、それぞれの記録パワーでオーバーライト特性を評価した。いずれも１０回オーバーライト後の値で評価した。Ｐｂはほぼ０ｍＷで一定とした。
（記録パルス分割方式ＣＤ−ＶＩ−３）
この記録方式は、記録パルス分割方法（ＶＩ−Ｂ）の例であるが、Δｍ−１＝０とし、Δｍ、Δｍ’のみを各線速度で最適化することで、奇数／偶数長のマーク長差を付与している。
【手続補正４６】
【補正対象書類名】明細書
【補正対象項目名】０６６１
【補正方法】変更
【補正の内容】
【０６６１】
以上まとめると本発明記録媒体及び（記録パルス分割方式ＣＤ−ＶＩ−３）は、８〜２４倍速の広範囲において、少数のパラメータを可変とする記録パルス分割方式により良好な特性がえられ、再生信号は既存のＣＤドライブで再生可能な品質である。また、この間の線速においても記録パルス分割方法を本発明のごとく可変とすることによって良好な特性がえられる。
【手続補正４７】
【補正対象書類名】明細書
【補正対象項目名】０６６２
【補正方法】変更
【補正の内容】
【０６６２】
次に、各倍速におけるオーバーライト耐久性の評価を行った。各線速で、表−１４に示すＰｗｏ及びＰｅ／Ｐｗ比において、オーバーライトを行ったときのオーバーライト回数依存性を図５３に表す。図５３において、（ａ）が３Ｔマーク長ジッタ、（ｂ）が３Ｔスペース長ジッタを示す。
いずれの線速においてもＣＤ−ＲＷに要求される１０００回というオーバーライト耐久性は十分満たされていた。
（記録パルス分割方式ＣＤ−ＶＩ−４）
この記録方式は、記録パルス分割方法（ＶＩ−Ｂ）の例であるが、Δｍ’＝０とし、Δｍ−１、Δｍのみを各線速度で最適化することで、奇数／偶数長のマーク長差を付与している。
【手続補正４８】
【補正対象書類名】明細書
【補正対象項目名】０６６８
【補正方法】変更
【補正の内容】
【０６６８】
以上まとめると本発明記録媒体及び（記録パルス分割方式ＣＤ−ＶＩ−４）を適用すれば、８〜２４倍速の広範囲において、少数のパラメータを可変とする記録パルス分割方式により良好な特性がえられ、再生信号は既存のＣＤドライブで再生可能な品質である。また、この間の線速においても記録パルス分割方法を本発明のごとく可変とすることによって良好な特性がえられる。
【手続補正４９】
【補正対象書類名】明細書
【補正対象項目名】０６６９
【補正方法】変更
【補正の内容】
【０６６９】
次に、各倍速におけるオーバーライト耐久性の評価を行った。各線速で、表−１５に示すＰｗｏ及びＰｅ／Ｐｗ比において、オーバーライトを行ったときのオーバーライト回数依存性を図５５に表す。図５５において、（ａ）が３Ｔマーク長ジッタ、（ｂ）が３Ｔスペース長ジッタを示す。
いずれの線速においてもＣＤ−ＲＷに要求される１０００回というオーバーライト耐久性は十分満たされていた。
（記録パルス分割方式ＣＤ−ＶＩ−５）
この記録方式は、記録パルス分割方法（ＶＩ−Ｂ）の例であるが、Δ＝Δｍ−１＝Δｍとし、Δ、Δｍ’のみを各線速度で最適化することで、奇数／偶数長のマーク長差を付与している。
【手続補正５０】
【補正対象書類名】明細書
【補正対象項目名】０６７５
【補正方法】変更
【補正の内容】
【０６７５】
以上まとめると本発明記録媒体及び（記録パルス分割方式ＣＤ−ＶＩ−５）を適用すれば、８〜２４倍速の広範囲において、少数のパラメータを可変とする記録パルス分割方式により良好な特性がえられ、再生信号は既存のＣＤドライブで再生可能な品質である。また、この間の線速においても記録パルス分割方法を本発明のごとく可変とすることによって良好な特性がえられる。
【手続補正５１】
【補正対象書類名】明細書
【補正対象項目名】０６７８
【補正方法】変更
【補正の内容】
【０６７８】
このＡｇ反射層の体積抵抗率ρｖは約２４ｎΩ・ｍ、面積抵抗率ρｓは約０．１２Ω／□であった。
実施例１４（ａ）のディスク及び１４（ｂ）のディスクの初期化は、ともに長軸約７５μｍ、短軸約１．０μｍの楕円形スポット形状を有する波長約８１０ｎｍのレーザーダイオード光を短軸方向に、線速約１２ｍ／ｓで走査して行なった。照射パワーは約８５０ｍＷである。
【手続補正５２】
【補正対象書類名】明細書
【補正対象項目名】０６７９
【補正方法】変更
【補正の内容】
【０６７９】
これらディスクに、ＮＡ＝０．５０のテスター２を用いて、表−１７に示す、下記の（記録方式１−２ｆ）にて２４倍速で、（記録方式２−２ｆ）にて８倍速で、ＥＦＭ変調信号のオーバーライトを行ない、その特性を評価した。
消去パワーＰｅと記録パワーＰｗの比Ｐｅ／Ｐｗは０．２７一定としＰｗを変化させ、それぞれの記録パワーでオーバーライト特性を評価した。いずれも１０回オーバーライト後の値で評価した。Ｐｂはほぼ０ｍＷで一定とした。
この記録方式は、記録パルス分割方法（ＩＩＩ−Ａ）における、独立パラメータの数をさらに限定した使用方法となっている。
【手続補正５３】
【補正対象書類名】明細書
【補正対象項目名】０６８７
【補正方法】変更
【補正の内容】
【０６８７】
以上まとめると本発明記録媒体及び（記録方式ＣＤ１−２ｆ）及び（記録方式ＣＤ２−２ｆ）を適用すれば、実施例１４（ａ）、１４（ｂ）のどちらのディスクにおいても８倍速、２４倍速の広範囲において、少数のパラメータを可変とする記録パルス分割方式により良好な特性がえられ、再生信号は既存のＣＤドライブで再生可能な品質であるが、特に、実施例１４（ｂ）のディスクのように、反射膜の面積抵抗率を０．２Ω／□以下とするほうが、広い線速度範囲において、広い記録パワーマージンが得られて望ましい。
（実施例１５）
上記基本例において、下記のようにしてディスクを製造し記録を行なった。
【手続補正５４】
【補正対象書類名】明細書
【補正対象項目名】０６９５
【補正方法】変更
【補正の内容】
【０６９５】
表―１８の各記録方式は、ＣＡＶ記録等、広範囲の線速度でのオーバーライトに適用される本発明記録パルス分割方法（ＶＩ−Ｂ）の例でもある。
ここで、ｎ＝３におけるβ１’＝１．３８が、ｍ＝３におけるβ１’＝１．１９＋０．２５＝１．４４と約４％程度のすれがあるが、これは、このような高周波数における装置上のパルス設定の限界に由来するものであり、実質的に（ＶＩ−Ｂ）で規定された規則性は踏襲されている。
【手続補正５５】
【補正対象書類名】明細書
【補正対象項目名】０７２０
【補正方法】変更
【補正の内容】
【０７２０】
なお、（参考ＣＤ記録方式１）でのＴｄ１、αｉ、βｉ等を表−１９にまとめて示す。
表−１９において、記録パルス分割方式はｎ＝３の場合とｎが４〜１１の場合とに分けて記載した。ｎ＝３の場合には、Ｔｄ１’、α１’、β１’の３つのパラメータが必要であるが、表−１９では、それぞれＴｄ１、α１、βｍの欄に記載した。ｎが４〜１１の場合には、記録パルス分割方法（ＩＩＩ−Ａ）において、Ｔｄ１＋α１＝Ｔｄ１’＋α１’＝２、β１＋α２＝βｍ−１＋αｍ＝２、α１＝αｍ＝αｃ、Δｍはｍによらず一定とした。したがって、表−１９では、Ｔｄ１、β１、βｍ−１、βｍ、αｍも含めて１０個のパラメータを記載しているが、独立パラメータはα１、αｃ、Δｍ−１、Δｍ、Δｍ’の５個である。また、ｎ＝４の場合には、β１＝βｍ−１＝βｃ、α２＝αｍ＝αｃ、β２＝βｍである。ｎ＝５の場合には、β１’＝βｃ＋Δｍ−１、α２＝αｃ＋Δｍ、β２’＝βｍ’である。
【手続補正５６】
【補正対象書類名】明細書
【補正対象項目名】０７３６
【補正方法】変更
【補正の内容】
【０７３６】
ｍ＝１、すなわち３Ｔマークに対しては、Ｔｄ１’＝１、α１’＝１．５、β１’＝０．５６とした。
一方、２．５倍速記録の場合には、記録方式ＤＶＤ２−１の具体例として、以下の（記録方式ＤＶＤ２−１ａ）を使用した。（記録方式ＤＶＤ２−１ａ）は、記録パルス分割方法（Ｖ）における、独立パラメータの数をさらに限定した使用方法となっている。
（記録方式ＤＶＤ２−１ａ）
ｍが３以上の場合の、偶数マーク長ｎＴ＝２ｍＴに対しては、マークの記録に際して、マークをｍ個の区間に分割し、記録パルス区間αｉＴ及びオフパルス区間βｉＴにおけるαｉ及びβｉを、
Ｔｄ１＋α１＝２、
βｉ−１＋αｉ＝２（ｉ＝２〜ｍ−１）、
βｍ−１＋αｍ＝２、
とした。
【手続補正５７】
【補正対象書類名】明細書
【補正対象項目名】０７４０
【補正方法】変更
【補正の内容】
【０７４０】
なお、各記録方式でのＴｄ１、αｉ、βｉ等を表−２０にまとめて示す。いずれの記録方式も記録パルス分割方法（ＩＩ−Ａ）又は（Ｖ）に準じているので、ｍが３以上の場合に関しては、記録パルス分割方法（ＩＩ）における、１０個のパラメータ（Ｔｄ１、α１、β１、Δ１、αｃ、βｍ−１、Δｍ−１、αｍ、Δｍ、βｍ）及び、ｎ＝３，４，５におけるＴｄ１、αｉ、βｉを記載した。ただし、ｎ＝３の場合の（Ｔｄ１’、α１’、β１’）は、Ｔｄ１、α１、β１の項に記載した。ｎ＝４の場合の（Ｔｄ１、α１、β１、α２、β２）及び、ｎ＝５の場合の（Ｔｄ１’、α１’、β１’、α２、’、β２’）は、Ｔｄ１、α１、β１、αｍ、βｍの欄に記載した。
【手続補正５８】
【補正対象書類名】明細書
【補正対象項目名】０７５４
【補正方法】変更
【補正の内容】
【０７５４】
ｍ＝１、すなわち３Ｔマークに対しては、Ｔｄ１’＝０．８１２５、α１’＝１．６２５、
β１’＝０．３７５とした。
一方、２．５倍速記録の場合には、記録方式ＤＶＤ２−２の具体例として、以下の（記録方式ＤＶＤ２−２ａ）を使用した。（記録方式ＤＶＤ２−２ａ）は、記録パルス分割方法（ＶＩ）における、独立パラメータの数をさらに限定した使用方法となっている。
（記録方式ＤＶＤ２−２ａ）
ｍが３以上の場合の、偶数マーク長ｎＴ＝２ｍＴに対しては、マークの記録に際して、マークをｍ個の区間に分割し、記録パルス区間αｉＴ及びオフパルス区間βｉＴにおけるαｉ及びβｉを、
Ｔｄ１＋α１＝２、
βｉ−１＋αｉ＝２（ｉ＝２〜ｍ）、
とした。
【手続補正５９】
【補正対象書類名】明細書
【補正対象項目名】０７５８
【補正方法】変更
【補正の内容】
【０７５８】
なお、各記録方式でのＴｄ１、αｉ、βｉ等を表−２１にまとめて示す。いずれの記録方式も記録パルス分割方法（ＩＩＩ）に準じているので、ｍが３以上の場合に関しては、記録パルス分割方法（ＩＩＩ）における、９個のパラメータ（Ｔｄ１、α１、β１、αｃ、βｍ−１、Δｍ−１、αｍ、Δｍ、βｍ）及び、ｎ＝３，４，５におけるＴｄ１、αｉ、βｉを記載した。ただし、ｎ＝３の場合の（Ｔｄ１’、α１’、β１’）は、Ｔｄ１、α１、βｍの項に記載した。ｎ＝４の場合の（Ｔｄ１、α１、β１、α２、β２）及び、ｎ＝５の場合の（Ｔｄ１’、α１’、β１’、α２、’、β２’）は、Ｔｄ１、α１、β１、αｍ、βｍの欄に記載した。
【手続補正６０】
【補正対象書類名】明細書
【補正対象項目名】０７６１
【補正方法】変更
【補正の内容】
【０７６１】
図６６において（ａ）〜（ｃ）はそれぞれ、（ａ）ジッタ、（ｂ）変調度ｍ１４、（ｃ）ＲｔｏｐのＰｗ依存性を表す。
ジッタが最小となる最適記録パワーは（記録方式ＤＶＤ１−２ａ）では１７−１９ｍＷである。
図６６（ａ）より、全てのＰｗにおいて１倍速再生時のジッタが１５％以下となっていることがわかる。さらに、図６６（ａ）の図中の横線は１倍速再生時のジッタ＝１０％を示しているが、最適Ｐｗ付近におけるジッタ値は１０％以下となった。
【手続補正６１】
【補正対象書類名】明細書
【補正対象項目名】０７７２
【補正方法】変更
【補正の内容】
【０７７２】
一方、３倍速記録の場合には、記録方式ＤＶＤ２−２の具体例として、以下の（記録方式ＤＶＤ２−２ｂ）を使用した。（記録方式ＤＶＤ２−２ｂ）は、記録パルス分割方法（ＶＩ）における、独立パラメータの数をさらに限定した使用方法となっている。
（記録方式ＤＶＤ２−２ｂ）
ｍが３以上の場合の、偶数マーク長ｎＴ＝２ｍＴに対しては、マークの記録に際して、マークをｍ個の区間に分割し、記録パルス区間αｉＴ及びオフパルス区間βｉＴにおけるαｉ
及びβｉを、
Ｔｄ１＋α１＝２、
βｉ−１＋αｉ＝２（ｉ＝２〜ｍ）、
とした。
【手続補正６２】
【補正対象書類名】明細書
【補正対象項目名】０７７６
【補正方法】変更
【補正の内容】
【０７７６】
なお、各記録方式でのＴｄ１、αｉ、βｉ等を表−２２にまとめて示す。いずれの記録方式も記録パルス分割方法（ＩＩＩ）に準じているので、ｍが３以上の場合に関しては、記録パルス分割方法（ＩＩＩ）における、９個のパラメータ（Ｔｄ１、α１、β１、αｃ、βｍ−１、Δｍ−１、αｍ、Δｍ、βｍ）及び、ｎ＝３，４，５におけるＴｄ１、αｉ、βｉを記載した。ただし、ｎ＝３の場合の（Ｔｄ１’、α１’、β１’）は、Ｔｄ１、α１、βｍの項に記載した。ｎ＝４の場合の（Ｔｄ１、α１、β１、α２、β２）及び、ｎ＝５の場合の（Ｔｄ１’、α１’、β１’、α２、’、β２’）は、Ｔｄ１、α１、β１、αｍ、βｍの欄に記載した。
【手続補正６３】
【補正対象書類名】明細書
【補正対象項目名】０７７８
【補正方法】変更
【補正の内容】
【０７７８】
８倍速における（記録方式ＤＶＤ１−２ｂ）の場合の、オーバーライト特性の評価結果を図６８に示す。消去パワーＰｅと記録パワーＰｗの比Ｐｅ／Ｐｗは（記録方式ＤＶＤ１−２ｂ）では０．２４とした。Ｐｗを１８ｍＷから２５ｍＷまで１ｍＷ刻みで変化させた。バイアスパワーＰｂは一定０．５ｍＷとしている。
【手続補正６４】
【補正対象書類名】明細書
【補正対象項目名】０７７９
【補正方法】変更
【補正の内容】
【０７７９】
図６８において（ａ）〜（ｃ）はそれぞれ、（ａ）ジッタ、（ｂ）変調度ｍ１４、（ｃ）ＲｔｏｐのＰｗ依存性を表す。
ジッタが最小となる最適記録パワーは（記録方式ＤＶＤ１−２ｂ）では２２−２５ｍＷである。
図６８（ａ）より、全てのＰｗにおいて１倍速再生時のジッタが１５％以下となっていることがわかる。さらに、図６８（ａ）の図中の横線は１倍速再生時のジッタ＝１０％を示しているが、最適Ｐｗ付近におけるジッタ値は１０％以下となった。
【手続補正６５】
【補正対象書類名】明細書
【補正対象項目名】０７９３
【補正方法】変更
【補正の内容】
【０７９３】
ｍ＝１、すなわち３Ｔマークに対しては、Ｔｄ１’＝１．１７、α１’＝１．０８、β１’＝０．６７とした。
一方、４倍速記録の場合には、記録方式ＤＶＤ２−２の具体例として、以下の（記録方式ＤＶＤ２−２ｃ）を使用した。（記録方式ＤＶＤ２−２ｃ）は、記録パルス分割方法（ＶＩ）における、独立パラメータの数をさらに限定した使用方法となっている。
（記録方式ＤＶＤ２−２ｃ）
ｍが３以上の場合の、偶数マーク長ｎＴ＝２ｍＴに対しては、マークの記録に際して、マークをｍ個の区間に分割し、記録パルス区間αｉＴ及びオフパルス区間βｉＴにおけるαｉ及びβｉを、
Ｔｄ１＋α１＝２、
βｉ−１＋αｉ＝２（ｉ＝２〜ｍ）、
とした。
【手続補正６６】
【補正対象書類名】明細書
【補正対象項目名】０７９６
【補正方法】変更
【補正の内容】
【０７９６】
３Ｔマークに対しては、Ｔｄ１’＝１．４４、α１’＝１．１９、β１’＝０．８８としている。
なお、各記録方式でのＴｄ１、αｉ、βｉ等を表−２３にまとめて示す。いずれの記録方式も記録パルス分割方法（ＩＩＩ）に準じているので、ｍが３以上の場合に関しては、記録パルス分割方法（ＩＩＩ）における、９個のパラメータ（Ｔｄ１、α１、β１、αｃ、βｍ−１、Δｍ−１、αｍ、Δｍ、βｍ）及び、ｎ＝３，４，５におけるＴｄ１、αｉ、βｉを記載した。Δｍ’は、本実施例ではゼロとしているために省略した。また、ｎ＝３の場合の（Ｔｄ１’、α１’、β１’）は、Ｔｄ１、α１、βｍの項に記載した。ｎ＝４の場合の（Ｔｄ１、α１、β１、α２、β２）及び、ｎ＝５の場合の（Ｔｄ１’、α１’、β１’、α２’、β２’）は、Ｔｄ１、α１、β１、αｍ、βｍの欄に記載した。
【手続補正６７】
【補正対象書類名】明細書
【補正対象項目名】０８１０
【補正方法】変更
【補正の内容】
【０８１０】
ここで、
αｉ＝α１’＝１（ｉ＝２〜ｍ−１）、
βｉ＝βｉ’＝１（ｉ＝２〜ｍ−１）、
ｎが偶数の場合は、
α１＝１．０５、β１＝１、αｍ＝１、βｍ＝０．４、
ｎが奇数の場合は、
α１’＝１．０５、β１’＝１．４５、αｍ’＝１、βｍ’＝０．４、
また、ｍ＝２の場合のα１、β１、α２、β２、α１’、β１’、α２’、β２’は、それぞれ、ｍが３以上の場合のα１、β１、αｍ、βｍ、α１’、β１’、αｍ’、βｍ’とみなす。すなわち、４Ｔマークに対しては、Ｔｄ１＝０．９５、α１＝１．０５、β１＝１、α２＝１、β２＝０．４とし、５Ｔマークに対しては、Ｔｄ１’＝１、α１’＝１．０５、β１’＝１．４５、α２’＝１、β２’＝０．４としている。
【手続補正６８】
【補正対象書類名】図面
【補正対象項目名】図６４
【補正方法】変更
【補正の内容】
【図６４】
2009083501.tif 000001
【手続補正６９】
【補正対象書類名】図面
【補正対象項目名】図６５
【補正方法】変更
【補正の内容】
【図６５】
2009083501.tif 000002
【手続補正７０】
【補正対象書類名】図面
【補正対象項目名】図６６
【補正方法】変更
【補正の内容】
【図６６】
2009083501.tif 000003
【手続補正７１】
【補正対象書類名】図面
【補正対象項目名】図６７
【補正方法】変更
【補正の内容】
【図６７】
2009083501.tif 000004
【手続補正７２】
【補正対象書類名】図面
【補正対象項目名】図６８
【補正方法】変更
【補正の内容】
【図６８】
2009083501.tif 000005
【手続補正７３】
【補正対象書類名】図面
【補正対象項目名】図６９
【補正方法】変更
【補正の内容】
【図６９】
2009083501.tif 000006